(57)【要約】【課題】釣銭準備金の受け渡しが可能であり、釣銭準備金の受け渡し後、即座に貨幣処理が可能となる貨幣処理装置を提供する。【解決手段】紙幣を収納する紙幣金庫１４１と、紙幣金庫１４１と装置左右方向の位置を重ね合わせて装置前後方向に並べて設けられ、硬貨を収納する硬貨金庫１４２と、紙幣金庫１４１及び硬貨金庫１４２の少なくとも何れか一方に対し、装置前後方向の位置を重ね合わせ、装置左右方向に並べて設けられ、釣銭準備金を保管可能な保管スペース１３１とを備える。【選択図】図４
2020067915.tif 000002
【特許請求の範囲】
【請求項１】
紙幣を収納する紙幣金庫と、
前記紙幣金庫と装置左右方向の位置を重ね合わせて装置前後方向に並べて設けられ、硬貨を収納する硬貨金庫と、
前記紙幣金庫及び前記硬貨金庫の少なくとも何れか一方に対し、装置前後方向の位置を重ね合わせ、装置左右方向に並べて設けられ、釣銭準備金を保管可能な保管スペースとを備えることを特徴とする貨幣処理装置。
【請求項２】
前記紙幣金庫、前記硬貨金庫及び前記保管スペースは、紙幣を処理する紙幣処理部及び硬貨を処理する硬貨処理部の下側に、前記紙幣処理部及び前記硬貨処理部と装置前後方向及び装置左右方向の両方向の位置を重ね合わせて設けられていることを特徴とする請求項１に記載の貨幣処理装置。
【請求項３】
前記紙幣処理部の下側に、該紙幣処理部と装置前後方向及び装置左右方向の両方向の位置を重ね合わせて前記紙幣金庫を設け、
前記硬貨処理部の下側に、該硬貨処理部と装置前後方向及び装置左右方向の両方向の位置を重ね合わせて前記保管スペースを設けることを特徴とする請求項２に記載の貨幣処理装置。
【請求項４】
硬貨を外部に返却する硬貨返却部の下側に、該硬貨返却部と装置前後方向及び装置左右方向の両方向の位置を重ね合わせて前記保管スペースを設けることを特徴とする請求項３に記載の貨幣処理装置。
【請求項５】
前記保管スペースと前記紙幣金庫と前記硬貨金庫とを含む貨幣金庫部が一体に装置本体から引き出し可能とされており、前記貨幣金庫部は、該貨幣金庫部を前記装置本体から引き出さずに前記保管スペースを開閉する開閉扉を有することを特徴とする請求項１から４の何れか一項に記載の貨幣処理装置。
【発明の詳細な説明】
【技術分野】
【０００１】
本発明は、貨幣処理装置に関する。
【背景技術】
【０００２】
コンビニエンスストアやショッピングセンター等の店舗においては、警備会社の担当者が売上金入金機の貨幣金庫（紙幣金庫・硬貨金庫等）から売上金を回収する際に、警備会社が予め用意した釣銭準備金を店舗の担当者に受け渡す業務も行われている。しかしながら、店舗の担当者が不在の場合には、釣銭準備金の受け渡しができないといった問題があった。
【０００３】
そこで、売上金入金機から売上金を回収する際に、警備会社が予め用意した釣銭準備金が収納された貨幣金庫を売上金入金機に装填することにより、警備会社の担当者が売上金を回収する際に、店舗側の人間が立ち会わずに、釣銭準備金の受け渡しができるようにする技術がある（例えば、特許文献１参照）。
【先行技術文献】
【特許文献】
【０００４】
【特許文献１】特許第３３４０１７６号公報
【発明の概要】
【発明が解決しようとする課題】
【０００５】
しかしながら、特許文献１のような売上金入金機では、釣銭準備金の受け渡しが完了しても、貨幣金庫の中に釣銭準備金が収納されているので、店舗の担当者等によって売上金入金機の貨幣金庫から釣銭準備金が取り出されて貨幣金庫を空状態にしなければ、売上金入金機として使用することができないという問題があった。
【０００６】
本発明は、釣銭準備金の受け渡しが可能であり、釣銭準備金の受け渡し後、即座に貨幣処理が可能となる貨幣処理装置の提供を目的とする。
【課題を解決するための手段】
【０００７】
上記目的を達成するために、本発明に係る第１の態様は、紙幣を収納する紙幣金庫と、前記紙幣金庫と装置左右方向の位置を重ね合わせて装置前後方向に並べて設けられ、硬貨を収納する硬貨金庫と、前記紙幣金庫及び前記硬貨金庫の少なくとも何れか一方に対し、装置前後方向の位置を重ね合わせ、装置左右方向に並べて設けられ、釣銭準備金を保管可能な保管スペースとを備えることを特徴とする。
【０００８】
上記第１の態様によれば、紙幣を収納する紙幣金庫と硬貨を収納する硬貨金庫とが、装置左右方向の位置を重ね合わせて装置前後方向に並べられており、これら紙幣金庫及び硬貨金庫の少なくとも何れか一方に対し、装置前後方向の位置を重ね合わせ、装置左右方向に並べられて、釣銭準備金を保管可能な保管スペースが設けられている。よって、釣銭準備金の受け渡し時に、紙幣金庫及び硬貨金庫とは別に設けられた保管スペースに釣銭準備金を保管することができるため、釣銭準備金の受け渡し後、釣銭準備金を紙幣金庫或いは硬貨金庫から取り出したりする必要がなく、即座に紙幣金庫及び硬貨金庫が使用可能な状態となり、即座に貨幣処理が可能となる。しかも、紙幣金庫と硬貨金庫とが装置左右方向の位置を重ね合わせて装置前後方向に並べられており、これら紙幣金庫及び硬貨金庫の少なくとも何れか一方に対し、装置前後方向の位置を重ね合わせ、装置左右方向に並べられて保管スペースが設けられているため、紙幣金庫及び硬貨金庫とは別に保管スペースを設けても特に装置左右方向の大型化を抑制することができる。
【０００９】
本発明に係る第２の態様は、上記第１の態様において、前記紙幣金庫、前記硬貨金庫及び前記保管スペースは、紙幣を処理する紙幣処理部及び硬貨を処理する硬貨処理部の下側に、前記紙幣処理部及び前記硬貨処理部と装置前後方向及び装置左右方向の両方向の位置を重ね合わせて設けられていることを特徴とする。
【００１０】
上記第２の態様によれば、紙幣を処理する紙幣処理部及び硬貨を処理する硬貨処理部の下側に、紙幣処理部及び硬貨処理部と装置前後方向及び装置左右方向の両方向の位置を重ね合わせて、紙幣金庫、硬貨金庫及び保管スペースが設けられているため、装置の特に装置左右方向の大型化を一層抑制することができる。
【００１１】
本発明に係る第３の態様は、上記第２の態様において、前記紙幣処理部の下側に、該紙幣処理部と装置前後方向及び装置左右方向の両方向の位置を重ね合わせて前記紙幣金庫を設け、前記硬貨処理部の下側に、該硬貨処理部と装置前後方向及び装置左右方向の両方向の位置を重ね合わせて前記保管スペースを設けることを特徴とする。
【００１２】
上記第３の態様によれば、紙幣処理部の下側に、これと装置前後方向及び装置左右方向の両方向の位置を重ね合わせて紙幣金庫を設け、硬貨処理部の下側に、これと装置前後方向及び装置左右方向の両方向の位置を重ね合わせて保管スペースを設ける。従って、紙幣処理部、硬貨処理部、紙幣金庫、硬貨金庫及び保管スペースをより効率的に配置することができる。
【００１３】
本発明に係る第４の態様は、上記第３の態様において、硬貨を外部に返却する硬貨返却部の下側に、該硬貨返却部と装置前後方向及び装置左右方向の両方向の位置を重ね合わせて前記保管スペースを設けることを特徴とする。
【００１４】
本発明に係る第４の態様によれば、保管スペースの上側に、これと装置前後方向及び装置左右方向の両方向の位置を重ね合わせて硬貨返却部を設ける。従って、紙幣処理部、硬貨処理部、紙幣金庫、硬貨返却部、硬貨金庫及び保管スペースをより効率的に配置することができる。
【００１５】
本発明に係る第５の態様は、上記第１乃至第４の何れか一態様において、前記保管スペースと前記紙幣金庫と前記硬貨金庫とを含む貨幣金庫部が一体に装置本体から引き出し可能とされており、前記貨幣金庫部は、該貨幣金庫部を前記装置本体から引き出さずに前記保管スペースを開閉する開閉扉を有することを特徴とする。
【００１６】
上記第５の態様によれば、保管スペースと紙幣金庫と硬貨金庫とを含む貨幣金庫部が一体に装置本体から引き出し可能とされており、貨幣金庫部は、これを装置本体から引き出さずに保管スペースを開閉する開閉扉を有する。このため、貨幣金庫部を引き出すことで、紙幣金庫及び硬貨金庫からの貨幣の回収と、保管スペースへの釣銭準備金の収納とを容易に行うことができる。また、保管スペースに保管されている釣銭準備金を保管スペースから取り出す際には、貨幣金庫部を引き出さずに開閉扉を開いて取り出すことができる。
【発明の効果】
【００１７】
本発明によれば、釣銭準備金の受け渡しが可能であり、釣銭準備金の受け渡し後、即座に貨幣処理が可能となる貨幣処理装置を提供することができる。
【図面の簡単な説明】
【００１８】
【図１】本発明に係る一実施形態の貨幣処理装置を示す斜視図である。
【図２】本発明に係る一実施形態の貨幣処理装置の要部構成を示すブロック図である。
【図３】本発明に係る一実施形態の貨幣処理装置における貨幣金庫扉の開状態を示す斜視図である。
【図４】本発明に係る一実施形態の貨幣処理装置における貨幣金庫部の引き出し状態を示す斜視図である。
【図５】本発明に係る一実施形態の貨幣処理装置における貨幣金庫扉及び保管スペース扉の開状態を示す斜視図である。
【図６】本発明に係る一実施形態の貨幣処理装置の要部構成を概略的に示すもので、（ａ）は左側面図、（ｂ）は右側面図である。
【図７】本発明に係る一実施形態の貨幣処理装置の要部構成を概略的に示す背面側から見た斜視図である。
【図８】本発明に係る一実施形態の貨幣処理装置の要部構成を概略的に示す背面図である。
【図９】本発明に係る一実施形態の貨幣処理装置の要部構成を概略的に示す左側面図である。
【図１０】本発明に係る一実施形態の貨幣処理装置の変形例２を示す斜視図である。
【発明を実施するための形態】
【００１９】
本発明に係る一実施形態の貨幣処理装置を図面を参照して以下に説明する。本実施形態の貨幣処理装置１１は、セットされた紙幣及び硬貨からなる貨幣を識別し、受け入れ可能と識別された貨幣を計数して内部に収納するものである。本実施形態の貨幣処理装置１１は、収納している貨幣を出金処理しない入金専用機であり、例えば、コンビニエンスストアやショッピングセンター等の店舗において、売上金を収納し管理するために用いられる売上金入金機である。
【００２０】
以下の説明において使用する「前」は貨幣処理装置１１の使用者側、「後」は貨幣処理装置１１の使用者とは反対側、「左」は貨幣処理装置１１の使用者から見た左、「右」は貨幣処理装置１１の使用者から見た右である。よって、以下の説明において使用する「前後方向」は、貨幣処理装置１１の前後方向である装置前後方向であり、「左右方向」は、貨幣処理装置１１の左右方向である装置左右方向である。
【００２１】
＜構成＞
図１に示すように、貨幣処理装置１１は、その主体となる装置本体２１を有しており、この装置本体２１の前部が、上方に向いて水平に広がる平坦な主上面２２を有している。装置本体２１は、後部が、主上面２２の後端縁部から後上がりに傾斜して広がる操作面２３を有している。主上面２２の前端縁部が装置本体２１の前方に向く主前面２８に繋がっている。主前面２８は前後方向に直交して広がっている。
【００２２】
装置本体２１は、操作面２３の左右方向の中間部から右側に、使用者に対し表示を行うと共に使用者の操作入力を受け付ける表示操作部３１を有しており、操作面２３の左右方向の左側に、計数結果等を紙面に印字するプリンタ３２を有している。表示操作部３１は、操作面２３の左右方向の中間部に設けられて使用者に対し画面表示を行うＬＣＤ画面からなる表示部４１を有している。貨幣処理装置１１は、図２に示すように、表示操作部３１及びプリンタ３２を含んで貨幣処理装置１１の全体を制御する制御部３５と、各種情報を記憶する記憶部３６とを有している。
【００２３】
図１に示すように、表示操作部３１は、操作面２３における表示部４１の下側に左右に並設された複数、具体的には５つの機能キー４２と、操作面２３における機能キー４２の下側に左右に延びて設けられたカードリーダ４３と、操作面２３における表示部４１の右側に設けられたテンキー４４と、操作面２３におけるテンキー４４の下側に上下に並設された複数、具体的には２つの操作キー４６及び操作キー４７とを有している。
【００２４】
表示部４１は、貨幣処理装置１１による貨幣の計数結果や貨幣処理装置１１の状態を表示する。５つの機能キー４２は、貨幣処理装置１１に対する押圧操作が行われる部分であり、表示部４１の表示に応じて選択される機能が切り替わるようになっている。カードリーダ４３は、貨幣処理装置１１を使用する使用者によってＩＤカードが走査されることになり、このＩＤカードの記憶情報を読み取る。テンキー４４は、数値を入力する際に押圧操作される「０」〜「９」の数字キーと、置数をマイナス符号にする場合に押圧操作される「−」キーと、置数をクリアする場合に押圧操作される「Ｃ」キーとからなっている。上側の操作キー４６は、確定及び完了の入力キーであり、処理の完了時、入力の確定時及び処理の決定時に押圧操作される。下側の操作キー４７は、スタート及びストップの入力キーであり、計数動作の開始時及び停止時に押圧操作される。
【００２５】
図１に示すように、貨幣処理装置１１には、主上面２２の右側の後部位置に、貨幣処理装置１１の外から計数対象の硬貨がセットされる硬貨ホッパ６１（硬貨セット部）が設けられている。硬貨ホッパ６１は、主上面２２において上方に向けて開口する硬貨投入口６２と、装置本体２１に揺動可能に連結され、揺動して硬貨投入口６２を開閉する蓋部６３とを有している。硬貨ホッパ６１には、蓋部６３が手動により開かれた開状態で硬貨投入口６２を介して硬貨が投入されることになり、このようにして硬貨がセットされる。硬貨ホッパ６１は、セットされた硬貨を一枚ずつに分離して所定の間隔をあけて貨幣処理装置１１内に繰り出す。
【００２６】
装置本体２１には、主上面２２の左側の前部位置から主前面２８の上部にかけて、貨幣処理装置１１の外から計数対象の紙幣がセットされる紙幣ホッパ７１（紙幣セット部）が設けられている。紙幣ホッパ７１には、集積状態の紙幣が横長の姿勢でセットされることになる。紙幣ホッパ７１は、セットされた紙幣を一枚ずつに分離して所定の間隔をあけて貨幣処理装置１１内に繰り出す。紙幣ホッパ７１は、硬貨ホッパ６１よりも左側に配置されている。
【００２７】
装置本体２１には、紙幣ホッパ７１の下側に、受け入れ不可と識別され計数されなかった紙幣を貨幣処理装置１１の外部に取り出し可能にリジェクトする紙幣リジェクトポケット７２（紙幣リジェクト部）が、主前面２８から後方に凹むように設けられている。紙幣リジェクトポケット７２は、貨幣処理装置１１の内部から繰り出された紙幣を上下に集積させることになる。このように繰り出された紙幣は、紙幣リジェクトポケット７２から前方に引き抜かれて貨幣処理装置１１から取り出される。
【００２８】
装置本体２１の主前面２８には、紙幣リジェクトポケット７２の下側に、前方に開口する挿入開口部８１が設けられている。貨幣処理装置１１は、この挿入開口部８１から装置本体２１に挿入される紙幣一時庫８２を有している。紙幣一時庫８２は、受け入れ可能と識別された紙幣を計数後に一時貯留する紙幣一時貯留部である。紙幣一時庫８２は、上方に開口する引き出しの形状であり、紙幣を水平に広がる状態で上下に集積させて貯留する。紙幣一時庫８２は、底部が開閉可能であり、底部を開くことで一時貯留していた紙幣を鉛直下方に落下させる。
【００２９】
紙幣一時庫８２は、装置本体２１に押し込まれた押し込み状態で、装置本体２１の主前面２８と略面一となり、上部開口が装置本体２１内に隠れる。紙幣一時庫８２は、装置本体２１から主前面２８よりも前方に引き出し可能であり、押し込み状態で、受け入れ可能と識別し計数した紙幣を一時貯留する。紙幣一時庫８２は、装置本体２１から前方に引き出されて引き出し状態となることで、貯留している紙幣を貨幣処理装置１１の外部に上部開口を介して取り出し可能に返却する。
【００３０】
図２に示すように、貨幣処理装置１１は、紙幣一時庫８２を装置本体２１に対し押し込み状態で引き出し不可にロックする電磁式の紙幣一時庫ロック機構８３と、紙幣一時庫８２が装置本体２１に対し押し込み状態にあるか否かを検知する紙幣一時庫検知センサ８４とを有している。紙幣一時庫ロック機構８３及び紙幣一時庫検知センサ８４は、図１に示す装置本体２１に設けられている。紙幣一時庫ロック機構８３は、制御部３５に駆動されて装置本体２１に対する紙幣一時庫８２のロックを解除する一方、紙幣一時庫８２が引き出し状態になった後に押込状態になると、これを機械的且つ自動的に装置本体２１にロックする。
【００３１】
図１に示すように、装置本体２１の主前面２８には、挿入開口部８１の右側に、挿入開口部８１と高さ方向の位置を重ね合わせて、前方に開口する挿入開口部９１が設けられている。貨幣処理装置１１は、この挿入開口部９１から装置本体２１に挿入される硬貨返却箱９２（硬貨返却部）を有している。硬貨返却箱９２は、上方に開口する箱形状であり、硬貨を外部に返却する際に収容する。硬貨返却箱９２は、受け入れ不可と識別され計数されなかった硬貨を貨幣処理装置１１の外部に取り出し可能にリジェクトするために収容すると共に、受け入れ可能と識別され計数された硬貨を貨幣処理装置１１の外部に取り出し可能に返却するために収容する。
【００３２】
硬貨返却箱９２は、装置本体２１に押し込まれた押し込み状態で、装置本体２１の主前面２８と略面一となり、上部開口が装置本体２１内に隠れる。硬貨返却箱９２は、装置本体２１から主前面２８よりも前方に引き出し可能であり、装置本体２１から前方に引き出されて引き出し状態となることで、収容している硬貨が上部開口を介して貨幣処理装置１１の外部に取り出し可能となる。
【００３３】
図２に示すように、貨幣処理装置１１は、硬貨返却箱９２を装置本体２１に対し押し込み状態で引き出し不可にロックする電磁式の硬貨返却箱ロック機構９３と、装置本体２１に対し硬貨返却箱９２が押し込み状態にあるか否かを検知する硬貨返却箱検知センサ９４と、装置本体２１に対し押し込み状態にある硬貨返却箱９２の硬貨の有無を検知する残留硬貨検知センサ９５とを有している。硬貨返却箱ロック機構９３、硬貨返却箱検知センサ９４及び残留硬貨検知センサ９５は、図１に示す装置本体２１に設けられている。
【００３４】
図３に示すように、貨幣処理装置１１は、紙幣一時庫８２及び硬貨返却箱９２よりも下側に、装置本体２１に対して揺動可能な貨幣金庫扉１０１を有しており、装置本体２１には、貨幣金庫扉１０１が閉状態にあるときにその後側に隠れる位置に、前方に開口部１０４を有して後方に凹む収容凹部１０５が形成されている。よって、収容凹部１０５は、装置本体２１における紙幣一時庫８２及び硬貨返却箱９２よりも下側に設けられている。
【００３５】
貨幣金庫扉１０１は、装置本体２１の下部右側の前縁部に鉛直軸回りに揺動可能となるように支持されており、装置本体２１側に揺動して装置本体２１の主前面２８と略面一になると、収容凹部１０５と上下方向及び左右方向の位置を重ね合わせて収容凹部１０５の開口部１０４を閉じる閉状態になる。貨幣金庫扉１０１は、装置本体２１とは反対側に揺動すると、収容凹部１０５の開口部１０４を開く開状態になる。
【００３６】
図２に示すように、貨幣処理装置１１は、貨幣金庫扉１０１を閉状態で開不可にロックする電磁式の貨幣金庫扉ロック機構１０２と、貨幣金庫扉１０１が閉状態にあるか否かを検知する貨幣金庫扉検知センサ１０３とを有している。貨幣金庫扉ロック機構１０２及び貨幣金庫扉検知センサ１０３は、図１に示す装置本体２１に設けられている。貨幣金庫扉ロック機構１０２は、制御部３５に駆動されて装置本体２１に対する貨幣金庫扉１０１のロックを解除する一方、貨幣金庫扉１０１が開状態になった後に閉状態になると、これを機械的且つ自動的に装置本体２１にロックする。
【００３７】
図４に示すように、貨幣処理装置１１は、装置本体２１の収容凹部１０５の左右の内壁面に取り付けられる一対のスライドガイド１０８と、これらのスライドガイド１０８に連結される貨幣金庫部１１１とを有している。
【００３８】
貨幣金庫部１１１は、スライドガイド１０８で案内されて、図３に示すように収容凹部１０５内に押し込まれた押し込み状態と、図４に示すように収容凹部１０５から前方に引き出された引き出し状態との間でスライドする。
【００３９】
図２に示すように、貨幣処理装置１１は、収容凹部１０５内に押し込まれた押し込み状態の貨幣金庫部１１１を引き出し不可にロックする電磁式の貨幣金庫部ロック機構１１２と、貨幣金庫部１１１が押し込み状態にあるか否かを検知する貨幣金庫部検知センサ１１３とを有している。貨幣金庫部ロック機構１１２及び貨幣金庫部検知センサ１１３は、図３，図４に示す装置本体２１に設けられている。貨幣金庫部ロック機構１１２は、制御部３５に駆動されて装置本体２１に対する貨幣金庫部１１１のロックを解除する一方、貨幣金庫部１１１が引き出し状態になった後に押し込み状態になると、これを機械的且つ自動的に装置本体２１にロックする。図３に示すように、貨幣金庫部１１１が収容凹部１０５内に押し込まれた押し込み状態にあるとき、貨幣金庫扉１０１は、図１に示すように閉じられる。
【００４０】
図４に示すように、貨幣金庫部１１１は、一対のスライドガイド１０８に連結される有底四角筒状のスライド体１２１を有している。一対のスライドガイド１０８は、このスライド体１２１を、収容凹部１０５内に押し込まれた押し込み状態と、収容凹部１０５から前方に引き出された引き出し状態との間でスライドさせる。貨幣金庫部ロック機構１１２は、このスライド体１２１を装置本体２１に対し引き出し不可にロックすることになり、貨幣金庫部検知センサ１１３は、このスライド体１２１が押し込み状態にあるか否かを検知する。
【００４１】
スライド体１２１は、一対のスライドガイド１０８に連結される矩形状の一対の側壁部１２２と、一対の側壁部１２２の前端縁部同士を連結する矩形状の前壁部１２３と、一対の側壁部１２２の後端縁部同士を連結する矩形状の後壁部１２４と、一対の側壁部１２２の間にこれらに平行に配置されて前壁部１２３と後壁部１２４とを連結する矩形状の中間壁部１２５と、前壁部１２３及び後壁部１２４との間にこれらに平行に配置されて中間壁部１２５と一方の側壁部１２２とを連結する矩形状の仕切壁部１２６と、図示略の底部とを有している。前壁部１２３、後壁部１２４及び仕切壁部１２６は、前後方向に対し直交して広がっており、一対の側壁部１２２及び中間壁部１２５は左右方向に対し直交して広がっている。
【００４２】
右側の側壁部１２２と中間壁部１２５と前壁部１２３と後壁部１２４と図示略の底部とで囲まれた範囲が、釣銭準備金を保管可能な保管スペース１３１となっている。保管スペース１３１は上方に開口している。前壁部１２３の右側には、前後方向に貫通する入出口１３２が形成されている。入出口１３２は、保管スペース１３１に連通しており、保管スペース１３１を前方に開放する。保管スペース１３１の上部開口は、図３に示すようにスライド体１２１が押し込み状態にあるときには、釣銭準備金の出し入れが装置本体２１で物理的に規制されて不可となり、図４に示すようにスライド体１２１が引き出し状態にあるときに、釣銭準備金の出し入れが装置本体２１で物理的に規制されることなく可能となる。
【００４３】
左側の側壁部１２２と中間壁部１２５と前壁部１２３と後壁部１２４と図示略の底部とで囲まれた範囲が、貨幣収納スペース１３７となっている。貨幣金庫部１１１は、スライド体１２１とは別体の紙幣金庫１４１及び硬貨金庫１４２を有しており、貨幣収納スペース１３７は、仕切壁部１２６よりも前側の前部に紙幣金庫１４１が装填される紙幣金庫装填スペース１３５を有し、仕切壁部１２６よりも後側の後部に硬貨金庫１４２が装填される硬貨金庫装填スペース１３６を有している。
【００４４】
図４，図５に示すように、貨幣金庫部１１１は、スライド体１２１の前壁部１２３に揺動可能に連結されて入出口１３２を開閉する保管スペース扉１４５（開閉扉）を有している。保管スペース扉１４５は、入出口１３２の右側縁部に鉛直軸回りに揺動可能となるように支持されており、入出口１３２を開閉する。
【００４５】
よって、保管スペース１３１は、図５に示すようにスライド体１２１、即ち貨幣金庫部１１１が押し込み状態にあっても保管スペース扉１４５が開かれることで、入出口１３２を介して釣銭準備金の出し入れが可能となる。保管スペース１３１は、スライド体１２１が押し込み状態にあって保管スペース扉１４５が閉状態にあれば、釣銭準備金の出し入れが不可となる。閉状態の保管スペース扉１４５は、閉状態の貨幣金庫扉１０１で覆われることになり、よって、貨幣金庫扉１０１が閉状態にあれば、開不可である。保管スペース１３１は、貨幣処理装置１１の前面側からアクセス可能となっている。
【００４６】
図２に示すように、貨幣処理装置１１は、保管スペース扉１４５を閉状態で開作動不可にロックする電磁式の保管スペース扉ロック機構１４６と、保管スペース扉１４５が閉状態にあるか否かを検知する保管スペース扉検知センサ１４７とを有している。これら保管スペース扉ロック機構１４６及び保管スペース扉検知センサ１４７は、図５に示すスライド体１２１に設けられている。保管スペース扉ロック機構１４６は、制御部３５に駆動されてスライド体１２１に対する保管スペース扉１４５のロックを解除する一方、保管スペース扉１４５が開状態になった後に閉状態になると、これを機械的且つ自動的にスライド体１２１にロックする。なお、保管スペース扉ロック機構１４６は、電磁式に限られるものではなく、保管スペース扉１４５を閉状態でロック及びロック解除するシリンダ錠と、これを作動させる別体の専用鍵とで構成しても良い。
【００４７】
図４に示すように、スライド体１２１の貨幣収納スペース１３７は上方に開口している。貨幣収納スペース１３７の前部の紙幣金庫装填スペース１３５には、紙幣金庫１４１が上方から装填されて装填状態になり、紙幣金庫１４１は上方に引き上げられて紙幣金庫装填スペース１３５から取り外される。紙幣金庫装填スペース１３５は、スライド体１２１が押し込み状態にあるときには、紙幣金庫１４１の出し入れが装置本体２１で物理的に規制されて不可となり、スライド体１２１が引き出し状態にあるときに、紙幣金庫１４１の出し入れが装置本体２１で物理的に規制されることなく可能となる。
【００４８】
図２に示すように、貨幣処理装置１１は、紙幣金庫装填スペース１３５の紙幣金庫１４１が装填状態にあるか否かを検知する紙幣金庫検知センサ１５２を有している。紙幣金庫検知センサ１５２は、図４に示すスライド体１２１に設けられている。
【００４９】
図４に示すように、貨幣収納スペース１３７の後部の硬貨金庫装填スペース１３６には、硬貨金庫１４２が上方から装填されて装填状態になり、硬貨金庫１４２は上方に引き上げられて硬貨金庫装填スペース１３６から取り外される。硬貨金庫装填スペース１３６は、スライド体１２１が押し込み状態にあるときは、硬貨金庫１４２の出し入れが装置本体２１で物理的に規制されて不可となり、スライド体１２１が引き出し状態にあるときは、硬貨金庫１４２の出し入れが装置本体２１で物理的に規制されることなく可能となる。
【００５０】
図２に示すように、貨幣処理装置１１は、硬貨金庫装填スペース１３６の硬貨金庫１４２が装填状態にあるか否かを検知する硬貨金庫検知センサ１５６を有している。硬貨金庫検知センサ１５６は、図４に示すスライド体１２１に設けられている。
【００５１】
図４に示すように、保管スペース１３１と紙幣金庫１４１と硬貨金庫１４２とを含む貨幣金庫部１１１が一体に装置本体２１から引き出し可能とされている。この貨幣金庫部１１１は、貨幣金庫部１１１を装置本体２１から引き出さずに保管スペース１３１を開閉する保管スペース扉１４５を有している。
【００５２】
紙幣金庫１４１は、上部に内外に開口する紙幣受入開口部１６１を有する箱状の紙幣金庫本体１６２と、紙幣受入開口部１６１を開閉する紙幣金庫シャッタ１６３と、紙幣金庫シャッタ１６３を紙幣受入開口部１６１を閉じた閉状態で開不可にロックする図示略の紙幣金庫シャッタロックとを有している。紙幣金庫１４１は、紙幣金庫本体１６２が、紙幣を、紙幣受入開口部１６１を介して内部に受け入れて上下に集積させて収納する。
【００５３】
図２に示すように、貨幣処理装置１１は、図示略の紙幣金庫シャッタロックのロックを解除して紙幣金庫シャッタ１６３を開作動させたり、紙幣金庫シャッタ１６３を閉作動させて図示略の紙幣金庫シャッタロックをロック状態とする紙幣金庫シャッタ開閉機構１６６を有している。紙幣金庫シャッタ開閉機構１６６は、図４に示すスライド体１２１に設けられている。
【００５４】
紙幣金庫１４１が紙幣金庫装填スペース１３５に装填された状態にあるスライド体１２１が、図４に示すように装置本体２１に対し引き出された引き出し状態から、図３に示すように押し込み状態になる際に、紙幣金庫１４１は、紙幣金庫シャッタ開閉機構１６６で図示略の紙幣金庫シャッタロックによる紙幣金庫シャッタ１６３のロックが解除されて紙幣金庫シャッタ１６３が開状態になる。また、紙幣金庫１４１は、スライド体１２１が、図３に示す押し込み状態から、図４に示すように引き出される際に、紙幣金庫シャッタ開閉機構１６６で紙幣金庫シャッタ１６３が閉状態となり、図示略の紙幣金庫シャッタロックによりロックされる。
【００５５】
紙幣金庫本体１６２は、図示は略すが、側部に紙幣取出開口部が設けられており、この紙幣取出開口部が揺動する紙幣金庫扉で開閉可能となっている。紙幣金庫本体１６２は、紙幣金庫開口部を閉じた閉状態で紙幣金庫扉をロックする紙幣金庫シリンダ錠を有している。この紙幣金庫シリンダ錠は別体の対応する金庫キーでロック及びロック解除される。紙幣金庫１４１は、紙幣金庫装填スペース１３５から取り外されて、紙幣金庫扉が開かれることで、内部の紙幣が外部に取り出し可能となる。
【００５６】
図４に示すように、硬貨金庫１４２は、上部に内外に開口する硬貨受入開口部１７１を有する箱状の硬貨金庫本体１７２と、硬貨受入開口部１７１を開閉する硬貨金庫シャッタ１７３と、硬貨金庫シャッタ１７３を硬貨受入開口部１７１を閉じた閉状態で開不可にロックする図示略の硬貨金庫シャッタロックとを有している。硬貨金庫１４２は、硬貨金庫本体１７２が、硬貨受入開口部１７１を介して硬貨を内部に受け入れて収納する。
【００５７】
図２に示すように、貨幣処理装置１１は、図示略の硬貨金庫シャッタロックのロックを解除して硬貨金庫シャッタ１７３を開作動させたり、硬貨金庫シャッタ１７３を閉作動させて図示略の硬貨金庫シャッタロックをロック状態とする硬貨金庫シャッタ開閉機構１７６を有している。硬貨金庫シャッタ開閉機構１７６は、図４に示すスライド体１２１に設けられている。
【００５８】
硬貨金庫１４２が硬貨金庫装填スペース１３６に装填状態にあるスライド体１２１が、図４に示すように装置本体２１に対し引き出された引き出し状態から、図３に示すように押し込み状態になる際に、硬貨金庫１４２は、図２に示す硬貨金庫シャッタ開閉機構１７６で図示略の硬貨金庫シャッタロックによる硬貨金庫シャッタ１７３のロックが解除されて硬貨金庫シャッタ１７３が開状態になる。また、硬貨金庫１４２は、スライド体１２１が、図３に示す押し込み状態から、図４に示すように引き出される際に、硬貨金庫シャッタ開閉機構１７６で硬貨金庫シャッタ１７３が閉状態となり、図示略の硬貨金庫シャッタロックによりロックされる。
【００５９】
硬貨金庫本体１７２は、図示は略すが、側部に硬貨取出開口部が設けられており、この硬貨取出開口部が揺動する硬貨金庫扉で開閉可能となっている。硬貨金庫本体１７２は、硬貨金庫開口部を閉じた閉状態で硬貨金庫扉をロックする硬貨金庫シリンダ錠を有している。この硬貨金庫シリンダ錠は別体の対応する金庫キーでロック及びロック解除される。硬貨金庫１４２は、硬貨金庫装填スペース１３６から取り外されて、硬貨金庫扉が開かれることで、内部の硬貨が外部に取り出し可能となる。
【００６０】
スライド体１２１において、紙幣金庫装填スペース１３５と硬貨金庫装填スペース１３６とは、左右方向の位置を重ね合わせて前後方向に並べられており、よって、装填状態にある紙幣金庫１４１と硬貨金庫１４２とは、左右方向の位置を重ね合わせて前後方向に並べられている。そして、これらの紙幣金庫１４１及び硬貨金庫１４２に対し、前後方向の位置を重ね合わせ、左右方向に並べられて保管スペース１３１が設けられている。スライド体１２１が装置本体２１に押し込まれた押し込み状態にあるとき、装填状態にある紙幣金庫１４１と硬貨金庫１４２とが前後方向に並べられて貨幣処理装置１１内の左側に配置され、貨幣処理装置１１内における、これら紙幣金庫１４１及び硬貨金庫１４２の右側に、釣銭準備金を保管可能な保管スペース１３１が設けられることになる。
【００６１】
図３に示すように、紙幣ホッパ７１と紙幣リジェクトポケット７２と押し込み状態の紙幣一時庫８２と押し込み状態の貨幣金庫部１１１とが、左右方向及び前後方向の両方向の位置を重ね合わせている。硬貨ホッパ６１と押し込み状態の硬貨返却箱９２と押し込み状態の貨幣金庫部１１１とが、左右方向及び前後方向の両方向の位置を重ね合わせている。
【００６２】
装置本体２１の収容凹部１０５よりも上側は、左側が、紙幣ホッパ７１、紙幣リジェクトポケット７２及び紙幣一時庫８２を含む紙幣処理部１８１となっている。紙幣処理部１８１は、紙幣ホッパ７１にセットされた紙幣を識別し識別結果に基づいて振り分ける。紙幣金庫１４１は、スライド体１２１に装填されてスライド体１２１と共に収容凹部１０５に押し込まれると、装置本体２１の下部の左側に配置されることになり、紙幣処理部１８１と左右方向及び前後方向の両方向の位置を重ね合わせることになる。紙幣金庫１４１は、この状態で、紙幣処理部１８１で振り分けられた紙幣を収納する。
【００６３】
また、装置本体２１の収容凹部１０５よりも上側は、右側が、硬貨ホッパ６１及び硬貨返却箱９２を含む硬貨処理部１８２となっている。硬貨処理部１８２は、硬貨ホッパ６１にセットされた硬貨を識別し識別結果に基づいて振り分ける。硬貨金庫１４２は、スライド体１２１に装填されてスライド体１２１と共に収容凹部１０５に押し込まれると、装置本体２１の下部の左側に、紙幣金庫１４１の後側に並んで配置されることになり、紙幣処理部１８１と左右方向及び前後方向の両方向の位置を重ね合わせることになる。硬貨金庫１４２は、この状態で、装置本体２１の主に右側に設けられた硬貨処理部１８２で振り分けられた硬貨を収納する。
【００６４】
図６（ａ）に示すように、紙幣処理部１８１は、紙幣ホッパ７１から間隔をあけて一枚ずつ繰り出された紙幣を搬送する紙幣搬送部１９１と、紙幣搬送部１９１で搬送中の紙幣を識別する紙幣識別部１９２と、紙幣識別部１９２による識別結果に基づいて紙幣搬送部１９１の搬送先を２方向に切り替える紙幣振分部１９３とを有している。よって、紙幣識別部１９２は、紙幣ホッパ７１にセットされた紙幣を識別する。
【００６５】
紙幣搬送部１９１は、紙幣ホッパ７１から水平後方に延出し、その末端位置に紙幣識別部１９２が配置される上流搬送部２０１と、上流搬送部２０１の末端位置、即ち紙幣識別部１９２から後方に延出し装置本体２１の後部において下側で前方に向けて折り返して前下がりに延出する中間搬送部２０２（振分前紙幣搬送部）と、中間搬送部２０２の末端の分岐点２０５から中間搬送部２０２の延長方向に延出して紙幣一時庫８２に繋がる下流搬送部２０３と、分岐点２０５から水平前方に延出して紙幣リジェクトポケット７２に繋がる分岐搬送部２０４とを有している。よって、中間搬送部２０２は、紙幣識別部１９２から後方に延出し前方に向けて折り返す形状をなしている。
【００６６】
中間搬送部２０２は、紙幣搬送部１９１における、紙幣一時庫８２への下流搬送部２０３と紙幣リジェクトポケット７２への分岐搬送部２０４との分岐点２０５と、紙幣識別部１９２と間の部分である。中間搬送部２０２は、紙幣識別部１９２で識別後、紙幣振分部１９３での振り分け前に紙幣を搬送する部分となっており、紙幣識別部１９２から紙幣振分部１９３に向かって延びている。
【００６７】
中間搬送部２０２は、紙幣識別部１９２から装置後方に直線状に延出する後方搬送路２１１と、後方搬送路２１１の後端部から後下がりとなった後、前下がりとなるように湾曲する半円状の折返搬送路２１２と、折返搬送路２１２の後方搬送路２１１とは反対側の端部から前下がりに直線状に延出してその延長上にある下流搬送部２０３に繋がる前下搬送路２１３とからなっている。
【００６８】
紙幣識別部１９２は、上流搬送部２０１で搬送されている紙幣の金種を識別することになり、識別した紙幣が、受け入れ可能な金種の紙幣であるか、それ以外の受け入れ不可な紙幣であるかを識別すると共に、受け入れ可能な金種の紙幣については、金種別に計数を行う。
【００６９】
紙幣振分部１９３は、紙幣搬送部１９１の分岐点２０５に設けられて中間搬送部２０２からの紙幣を下流搬送部２０３に案内する一時貯留位置と、中間搬送部２０２からの紙幣を分岐搬送部２０４に案内するリジェクト位置とに切り替えられる。よって、紙幣振分部１９３は、中間搬送部２０２の紙幣識別部１９２とは反対側に設けられ、紙幣識別部１９２の識別結果に基づいて紙幣を振り分ける。
【００７０】
紙幣振分部１９３は、紙幣を計数する入金処理において、紙幣ホッパ７１から繰り出された紙幣のうち、紙幣識別部１９２で受け入れ可能と識別された紙幣に対しては、これが分岐点２０５を通過する際に一時貯留位置に位置して、中間搬送部２０２から下流搬送部２０３に案内して、紙幣一時庫８２に繰り出させる。紙幣一時庫８２は、下流搬送部２０３から繰り出された紙幣を下から上に集積させる。
【００７１】
紙幣振分部１９３は、紙幣を計数する入金処理において、紙幣ホッパ７１から繰り出された紙幣のうち、紙幣識別部１９２で受け入れ不可と識別された紙幣に対しては、これが分岐点２０５を通過する際にリジェクト位置に位置して、中間搬送部２０２から分岐搬送部２０４に案内して、紙幣リジェクトポケット７２に繰り出させる。紙幣リジェクトポケット７２は、分岐搬送部２０４から繰り出された紙幣を下から上に集積させる。
【００７２】
以上により、紙幣一時庫８２は、紙幣識別部１９２で受け入れ可能と識別され紙幣振分部１９３で一側に振り分けられた紙幣を一時貯留する。紙幣リジェクトポケット７２は、紙幣識別部１９２で受け入れ不可と識別され紙幣振分部１９３で他側に振り分けられた紙幣を外部にリジェクトする。
【００７３】
押し込み状態にある紙幣一時庫８２は、押し込み状態にあるスライド体１２１に装填状態とされた紙幣金庫１４１の開状態にある図４に示す紙幣受入開口部１６１と、前後方向及び左右方向の両方向の位置を重ね合わせている。紙幣一時庫８２は、この状態で底部を開き、一時貯留していた紙幣を紙幣受入開口部１６１を介して紙幣金庫本体１６２内に収納する。他方、紙幣一時庫８２は、装置本体２１から引き出されると、一時貯留していた紙幣を貨幣処理装置１１の外側に露出させることになり、この状態で、紙幣が貨幣処理装置１１の外部に取り出される。
【００７４】
図６（ａ）に示すように、紙幣処理部１８１は、これを構成する、紙幣ホッパ７１、紙幣搬送部１９１、紙幣識別部１９２、紙幣振分部１９３、紙幣リジェクトポケット７２及び紙幣一時庫８２が、左右方向の位置を重ね合わせており、紙幣処理部１８１で紙幣一時庫８２に振り分けられた紙幣を紙幣一時庫８２を介して収納する紙幣金庫１４１も、これらと左右方向の位置を重ね合わせている。紙幣一時庫８２が押し込み状態にあり、貨幣金庫部１１１が押し込み状態にあるとき、即ち、貨幣処理装置１１が入金処理を行う入金処理状態にあるとき、紙幣ホッパ７１、紙幣リジェクトポケット７２、紙幣一時庫８２及び紙幣金庫１４１は、前後方向の位置も重なり合う。
【００７５】
紙幣識別部１９２は、紙幣ホッパ７１に対し前後方向の位置がずれて配置されている。これに対し、貨幣処理装置１１が入金処理状態にあるとき、紙幣ホッパ７１、紙幣リジェクトポケット７２及び紙幣一時庫８２は、前後方向の位置が重なり合う。このため、紙幣搬送部１９１は、上流搬送部２０１及び中間搬送部２０２が、紙幣ホッパ７１が設けられた貨幣処理装置１１の前部から後方に延出した後、下側で前方に折り返して、紙幣リジェクトポケット７２及び紙幣一時庫８２に向けて前下がりに延出する形状になる。このため、紙幣処理部１８１には、中間搬送部２０２の折返搬送路２１２及び前下搬送路２１３の鉛直下方に、紙幣処理においては使用されないスペースＳが生じる。
【００７６】
図６（ｂ）に示すように、硬貨処理部１８２は、硬貨ホッパ６１から間隔をあけて一枚ずつ繰り出された硬貨を搬送する硬貨搬送部２３１と、硬貨搬送部２３１で搬送中の硬貨を識別する硬貨識別部２３２と、硬貨識別部２３２による識別結果に基づいて硬貨搬送部２３１による硬貨の搬送先を２方向で切り替える硬貨振分部２３３とを有している。よって、硬貨識別部２３２は硬貨ホッパ６１にセットされた硬貨を識別する。
【００７７】
硬貨搬送部２３１は、硬貨ホッパ６１から水平後方に延出し、その中間位置に硬貨識別部２３２が設けられている。硬貨振分部２３３は、硬貨搬送部２３１の末端位置に設けられており、選別部２４１と落下孔２４２とからなっている。選別部２４１は、落下孔２４２よりも硬貨識別部２３２側に設けられている。
【００７８】
硬貨識別部２３２は、硬貨搬送部２３１で搬送されている硬貨の金種を識別することになり、識別した硬貨が、受け入れ可能な金種の硬貨であるか、それ以外の受け入れ不可な硬貨であるかを識別すると共に、受け入れ可能な金種の硬貨については、金種別に計数を行う。
【００７９】
選別部２４１は、選別孔と、硬貨搬送部２３１側に突出可能な選別部材とを有し、選別部材が突出した閉状態では選別部材によって硬貨の軌道をずらして硬貨搬送部２３１から硬貨を選別孔に落下させる一方、選別部材が突出していない開状態では硬貨搬送部２３１から硬貨を選別孔に落下させずに落下孔２４２に向け流す。選別部２４１の下方には、選別孔から落下する硬貨を硬貨返却箱９２に案内する筒状のリジェクトシュート２４５が設けられている。リジェクトシュート２４５は上部開口が選別孔の鉛直下方に選別孔に近接して配置されており、下部開口が押し込み状態の硬貨返却箱９２の鉛直上方に、硬貨返却箱９２の上部開口に近接して配置されている。
【００８０】
落下孔２４２は、常開であり、開状態の選別部２４１を通過して硬貨搬送部２３１で更に搬送される硬貨を落下させる。落下孔２４２の下方には、落下孔２４２から落下する硬貨を案内する筒状の一時貯留シュート２４６が設けられている。一時貯留シュート２４６は上部開口が落下孔２４２の鉛直下方に落下孔２４２に近接して配置されている。落下孔２４２及び一時貯留シュート２４６は、貨幣処理装置１１の後部に配置されている。
【００８１】
硬貨処理部１８２は、一時貯留シュート２４６で案内された硬貨を一時貯留する硬貨一時貯留部２５０を有している。硬貨一時貯留部２５０は、一時貯留シュート２４６の下側に設けられている。硬貨一時貯留部２５０は、一時貯留シュート２４６の下部開口と前後方向及び左右方向の両方向の位置を重ね合わせて近接している。
【００８２】
図７，図８に示すように、硬貨処理部１８２は、硬貨金庫シュート２５１を有している。硬貨金庫シュート２５１は、上下に開口する筒状であり、押し込み状態にある貨幣金庫部１１１の硬貨金庫１４２と硬貨一時貯留部２５０との間に設けられている。硬貨金庫シュート２５１は、硬貨一時貯留部２５０及び押し込み状態にある貨幣金庫部１１１の硬貨金庫１４２と前後方向及び左右方向の両方向の位置を重ね合わせている。硬貨金庫シュート２５１は、紙幣処理部１８１のスペースＳに入り込んでいる。即ち、紙幣処理部１８１のスペースＳに硬貨処理部１８２の一部である硬貨金庫シュート２５１が平面視でオーバーラップしている。硬貨金庫シュート２５１は、押し込み状態にある硬貨返却箱９２と左右方向の位置を重ね合わせて前後方向に並んでいる。
【００８３】
図９に示すように、硬貨一時貯留部２５０は、上下に開口する角筒状の壁部構成体２５２と、壁部構成体２５２をその位置を検出しつつ前後方向に水平移動させる壁部構成体移動機構２５３と、壁部構成体２５２の下部開口を閉塞可能な底部構成体２５４と、底部構成体２５４をその位置を検出しつつ前後方向に水平移動させる底部構成体移動機構２５５とを有している。壁部構成体２５２と底部構成体２５４とが、落下孔２４２から落下し一時貯留シュート２４６で案内された硬貨を一時貯留する硬貨一時庫２５６を構成している。
【００８４】
壁部構成体移動機構２５３は、図９（ａ）に示すように、壁部構成体２５２を、一時貯留シュート２４６と前後方向の位置を重ね合せる一時貯留位置と、これらよりも前方にずれて、図９（ｂ）に示すように、押し込み状態にある硬貨返却箱９２と前後方向の位置を重ね合わせる返却位置と、これらよりも後方にずれて、図９（ｃ）に示すように、硬貨金庫シュート２５１と前後方向の位置を重ね合わせる収納位置とに移動させる。
【００８５】
一時貯留位置、返却位置及び収納位置の何れにあっても、図８に示すように、壁部構成体２５２は、一時貯留シュート２４６、押し込み状態にある硬貨返却箱９２、硬貨金庫シュート２５１と左右方向の位置を重ね合わせることになる。
【００８６】
壁部構成体２５２は、図９（ａ）に示すように一時貯留位置にあるとき、一時貯留シュート２４６の下部開口と前後方向及び左右方向の両方向に位置が重なり合うことになり、一時貯留シュート２４６の下部開口の鉛直下方に位置して一時貯留シュート２４６からの硬貨を受け入れ可能である。
【００８７】
壁部構成体２５２は、図９（ｂ）に示すように、返却位置にあるとき、押し込み状態にある硬貨返却箱９２の上部開口と前後方向及び左右方向の両方向に位置が重なり合うことになり、押し込み状態にある硬貨返却箱９２の上部開口の鉛直上方に位置して硬貨返却箱９２に硬貨を放出可能である。
【００８８】
壁部構成体２５２は、図９（ｃ）に示すように、収納位置にあるとき、硬貨金庫シュート２５１の上部開口と前後方向及び左右方向の両方向に位置が重なり合うことになり、硬貨金庫１４２の硬貨金庫本体１７２内に、硬貨金庫シュート２５１及び硬貨金庫本体１７２の硬貨受入開口部１７１を介して硬貨を収納可能である。
【００８９】
底部構成体移動機構２５５は、図９（ａ）に示すように、底部構成体２５４を、一時貯留シュート２４６と前後方向の位置を重ね合せる一時貯留位置と、これらよりも後方にずれて、図９（ｂ）に示すように、硬貨金庫シュート２５１と前後方向の位置を重ね合わせる返却位置と、これらよりも前方にずれて、図９（ｃ）に示すように、押し込み状態にある硬貨返却箱９２と前後方向の位置を重ね合わせる収納位置とに移動させる。
【００９０】
一時貯留位置、返却位置及び収納位置の何れにあっても、図８に示すように、底部構成体２５４は、一時貯留シュート２４６、押し込み状態にある硬貨返却箱９２、硬貨金庫シュート２５１と左右方向の位置を重ね合わせることになる。
【００９１】
硬貨一時庫２５６は、図９（ａ）に示すように、壁部構成体２５２及び底部構成体２５４が共に一時貯留位置にある状態が待機状態となっている。壁部構成体２５２及び底部構成体２５４が共に一時貯留位置にあるとき、壁部構成体２５２の下部開口が底部構成体２５４で閉塞された状態であり、言い換えれば、硬貨一時庫２５６の底部が閉塞された状態にある。この状態で、硬貨一時庫２５６は、一時貯留シュート２４６の下部開口の鉛直下方に位置することになり、硬貨ホッパ６１から一枚ずつ繰り出され硬貨搬送部２３１で搬送されて硬貨識別部２３２で識別された硬貨のうち、受け入れ可能と識別されて落下孔２４２から落下し一時貯留シュート２４６で案内される硬貨を一時貯留する一時貯留状態となる。硬貨一時庫２５６は、一時貯留状態が待機状態である。
【００９２】
この一時貯留状態から、図９（ｂ）に示すように、壁部構成体移動機構２５３で壁部構成体２５２を返却位置に移動させると共に、底部構成体移動機構２５５で、底部構成体２５４を返却位置に移動させると、壁部構成体２５２の下部開口が返却位置において開くことになる。この状態が、押し込み状態にある硬貨返却箱９２の鉛直上方で、硬貨一時庫２５６の底部が開放された返却状態となる。
【００９３】
この返却状態になると、硬貨一時庫２５６は、一時貯留していた硬貨を、壁部構成体２５２の下部開口の鉛直下方にある押し込み状態の硬貨返却箱９２に放出する。よって、硬貨一時貯留部２５０は、硬貨識別部２３２で受け入れ可能と識別されて落下孔２４２から落下し一時貯留シュート２４６で案内される硬貨を一時貯留すると共に、一時貯留している硬貨を硬貨返却箱９２に放出可能である。
【００９４】
硬貨一時庫２５６は、返却状態になった後、図９（ａ）に示すように、壁部構成体移動機構２５３で壁部構成体２５２を一時貯留位置に移動させると共に、底部構成体移動機構２５５で底部構成体２５４を一時貯留位置に移動させて待機状態に戻る。
【００９５】
待機状態である一時貯留状態から、図９（ｃ）に示すように、壁部構成体移動機構２５３で壁部構成体２５２を収納位置に移動させると共に、底部構成体移動機構２５５で底部構成体２５４を収納位置に移動させると、壁部構成体２５２の下部開口が収納位置において開くことになる。この状態が、硬貨金庫シュート２５１及び押し込み状態の貨幣金庫部１１１の硬貨金庫１４２の鉛直上方で硬貨一時庫２５６の底部が開放される収納状態である。
【００９６】
この収納状態になると、硬貨一時庫２５６は、一時貯留していた硬貨を、壁部構成体２５２の下部開口の鉛直下方にある硬貨金庫シュート２５１を介して、押し込み状態の貨幣金庫部１１１の硬貨金庫１４２に放出する。よって、硬貨一時貯留部２５０は、硬貨識別部２３２で受け入れ可能と識別されて落下孔２４２から落下し一時貯留シュート２４６で案内される硬貨を一時貯留すると共に、一時貯留している硬貨を左右方向に移動して硬貨金庫１４２に収納する。
【００９７】
硬貨一時庫２５６は、収納状態になった後、図９（ａ）に示すように、壁部構成体移動機構２５３で壁部構成体２５２を一時貯留位置に移動させると共に、底部構成体移動機構２５５で底部構成体２５４を一時貯留位置に移動させて待機状態に戻る。
【００９８】
以上のように、硬貨一時貯留部２５０は、硬貨識別部２３２で受け入れ可能と識別されて落下孔２４２から落下し一時貯留シュート２４６で案内される硬貨を一時貯留すると共に、一時貯留している硬貨を前後方向に移動して硬貨返却箱９２と硬貨金庫１４２とに振り分ける。
【００９９】
図６（ｂ）に示すように、硬貨処理部１８２は、これを構成する、硬貨ホッパ６１、硬貨搬送部２３１、硬貨識別部２３２、硬貨振分部２３３、押し込み状態にある硬貨返却箱９２及び硬貨一時貯留部２５０が、左右方向の位置を重ね合わせており、これらは、貨幣金庫部１１１の保管スペース１３１と左右方向の位置を重ね合わせている。硬貨返却箱９２及び貨幣金庫部１１１が共に押し込み状態にあるとき、即ち、貨幣処理装置１１が入金処理を行う入金処理状態にあるとき、図６（ｂ）に示すように、一時貯留シュート２４６、硬貨一時貯留部２５０は、前後方向の位置が重なり合う。
【０１００】
押し込み状態にある貨幣金庫部１１１の保管スペース１３１は、硬貨を外部に返却する、押し込み状態にある硬貨返却箱９２の下側に、硬貨返却箱９２と前後方向の位置を重ね合わせて設けられている。
【０１０１】
図７に示すように、押し込み状態にある貨幣金庫部１１１の紙幣金庫１４１、硬貨金庫１４２及び保管スペース１３１は、紙幣処理部１８１及び硬貨処理部１８２の下側に、これら紙幣処理部１８１及び硬貨処理部１８２と前後方向及び左右方向の両方向の位置を重ね合わせて設けられている。押し込み状態にある貨幣金庫部１１１の紙幣金庫１４１、硬貨金庫１４２及び保管スペース１３１の上方において、紙幣処理部１８１が貨幣処理装置１１の左側に設けられ、硬貨処理部１８２が主に貨幣処理装置１１の右側に設けられている。
【０１０２】
具体的に、押し込み状態にある貨幣金庫部１１１の紙幣金庫１４１は、紙幣処理部１８１の下側に、紙幣処理部１８１と前後方向及び左右方向の両方向の位置を重ね合わせて設けられている。また、押し込み状態にある貨幣金庫部１１１の硬貨金庫１４２は、紙幣処理部１８１及び硬貨処理部１８２の下側に、紙幣処理部１８１及び硬貨処理部１８２と前後方向及び左右方向の両方向の位置を重ね合わせて設けられている。また、押し込み状態にある貨幣金庫部１１１の保管スペース１３１は、硬貨処理部１８２の下側に、硬貨処理部１８２と前後方向及び左右方向の両方向の位置を重ね合わせて設けられている。
【０１０３】
＜動作＞
「店舗の担当者による売上金の入金処理」
貨幣処理装置１１が入金処理を行う入金処理状態にあるとき、貨幣金庫部１１１の紙幣金庫１４１及び硬貨金庫１４２は、何れも装填状態にあり、紙幣一時庫８２、硬貨返却箱９２および貨幣金庫部１１１は、何れも押し込み状態にあって、保管スペース扉１４５及び貨幣金庫扉１０１は、何れも閉状態にある。
【０１０４】
店舗の担当者は、表示操作部３１に対し、カードリーダ４３でＩＤ番号を入力する。すると、制御部３５は、ＩＤ番号が適正である場合に、表示部４１に、「入金処理」を含む処理選択画面を表示させる。
【０１０５】
この処理選択画面を表示させた状態で、テンキー４４を介して「入金処理」が選択され、確定及び完了の入力キーである操作キー４６が押圧操作されると、制御部３５は、表示部４１に入金処理の案内画面を表示させる。
【０１０６】
案内に従って、店舗の担当者は、紙幣ホッパ７１に紙幣をセットすると共に、蓋部６３を開いて硬貨ホッパ６１に硬貨をセットする。その後、店舗の担当者は、スタート及びストップの入力キーである操作キー４７を押圧操作する。これを受けて、制御部３５は、紙幣処理部１８１の紙幣ホッパ７１、紙幣搬送部１９１及び紙幣識別部１９２を駆動すると共に、硬貨処理部１８２の硬貨ホッパ６１、硬貨搬送部２３１及び硬貨識別部２３２を駆動する。
【０１０７】
紙幣処理部１８１において、駆動された紙幣ホッパ７１は、セットされた紙幣を所定の間隔で一枚ずつ、紙幣搬送部１９１の上流搬送部２０１に繰り出すことになり、紙幣搬送部１９１が上流搬送部２０１から中間搬送部２０２に向けて紙幣を搬送することになる。そして、上流搬送部２０１の末端位置に設けられた紙幣識別部１９２が紙幣を識別することになる。
【０１０８】
紙幣識別部１９２で受け入れ可能と識別された紙幣は、紙幣搬送部１９１の中間搬送部２０２から下流搬送部２０３を介して紙幣一時庫８２に繰り出され、紙幣一時庫８２で下から上に順次集積されることになる。また、紙幣識別部１９２で受け入れ不可と識別された紙幣は、紙幣搬送部１９１の中間搬送部２０２から、紙幣振分部１９３で分岐搬送部２０４に案内されて、分岐搬送部２０４から紙幣リジェクトポケット７２に繰り出され、紙幣リジェクトポケット７２で下から上に順次集積されることになる。
【０１０９】
硬貨処理部１８２において、駆動された硬貨ホッパ６１は、セットされた硬貨を所定の間隔で一枚ずつ、硬貨搬送部２３１に繰り出すことになり、硬貨搬送部２３１が硬貨振分部２３３に向けて硬貨を搬送することになる。そして、硬貨搬送部２３１の硬貨振分部２３３よりも硬貨ホッパ６１側に設けられた硬貨識別部２３２が硬貨を識別することになる。
【０１１０】
硬貨識別部２３２で受け入れ可能と識別された硬貨は、開状態の選別部２４１を通過し、硬貨搬送部２３１の末端に設けられた落下孔２４２から落下して、一時貯留シュート２４６を介して待機状態にあって壁部構成体２５２及び底部構成体２５４が共に一時貯留位置にある硬貨一時貯留部２５０の硬貨一時庫２５６に貯留されることになる。また、硬貨識別部２３２で受け入れ不可と識別された硬貨は、選別部２４１が閉状態となることで、硬貨搬送部２３１から選別部２４１に落下し、リジェクトシュート２４５を介して硬貨返却箱９２に貯留される。
【０１１１】
以上のようにして、紙幣処理部１８１において紙幣ホッパ７１の紙幣が全て繰り出されて、紙幣一時庫８２或いは紙幣リジェクトポケット７２に搬送されると共に、硬貨処理部１８２において硬貨ホッパ６１の硬貨が全て繰り出されて、硬貨一時貯留部２５０の硬貨一時庫２５６或いは硬貨返却箱９２に搬送されたことを各部の図示略のセンサで検知すると、制御部３５は、紙幣識別部１９２の識別結果を表示部４１に表示させる。例えば、紙幣識別部１９２で受け入れ可能と識別された紙幣の金種別の枚数及び総額と、硬貨識別部２３２で受け入れ可能と識別された硬貨の金種別の枚数及び総額と、紙幣識別部１９２で受け入れ可能と識別された紙幣の総額及び硬貨識別部２３２で受け入れ可能と識別された硬貨の総額を加算した入金貨幣の総額とを、表示部４１に表示させる。
【０１１２】
それと共に、制御部３５は、硬貨処理部１８２の硬貨返却箱９２にリジェクトされた硬貨を残留硬貨検知センサ９５が検知していれば、硬貨返却箱９２の硬貨の取り出しを促す表示を表示部４１に表示させる。これを見て、店舗の担当者が硬貨返却箱９２を装置本体２１から引き出して硬貨返却箱９２に貯留されている硬貨を取り出した後に硬貨返却箱９２を装置本体２１に押し込む。
【０１１３】
制御部３５は、計数結果を了解して一時貯留している貨幣を収納する収納処理、及び、一時貯留している貨幣を返却する返却処理の表示操作部３１への選択操作を待つ。ここで、制御部３５は、確定及び完了の入力キーである操作キー４６が押圧操作されると収納処理を行うことになり、キャンセル操作用の所定の機能キー４２が押圧操作されると返却処理を行うことになる。
【０１１４】
「収納処理」
収納処理では、制御部３５は、紙幣処理部１８１については、紙幣一時庫８２の底部を開放して、紙幣一時庫８２に貯留していた紙幣を、紙幣受入開口部１６１を介して紙幣金庫１４１の紙幣金庫本体１６２内に収納する。
【０１１５】
また、制御部３５は、硬貨処理部１８２については、壁部構成体移動機構２５３で壁部構成体２５２を一時貯留位置から収納位置まで移動させると共に、底部構成体移動機構２５５で底部構成体２５４を一時貯留位置から収納位置まで移動させて、硬貨一時貯留部２５０を、一時貯留状態から収納状態にする。
【０１１６】
この収納状態になると、硬貨一時庫２５６は、一時貯留していた硬貨を、壁部構成体２５２の下部開口の鉛直下方にある硬貨金庫シュート２５１を介して、壁部構成体２５２の下部開口の鉛直下方にある、押し込み状態の貨幣金庫部１１１の硬貨金庫１４２の硬貨金庫本体１７２に、硬貨受入開口部１７１を介して収納する。
【０１１７】
以上のように、硬貨一時貯留部２５０は、硬貨識別部２３２で受け入れ可能と識別されて落下孔２４２から落下し一時貯留シュート２４６で案内される硬貨を一時貯留すると共に、一時貯留している硬貨を左右方向に移動して硬貨金庫１４２に収納する。
【０１１８】
この収納処理を終了するに当たり、制御部３５は、例えば、その前段に行われた入金処理において入力された回収担当者のＩＤ番号と、貨幣処理装置１１の識別情報と、入金処理の実行時刻と、紙幣識別部１９２で受け入れ可能と識別された紙幣及び硬貨の金種別の数量と、これらが収納された旨とを関連付けて記憶部３６に記憶する。
【０１１９】
「返却処理」
返却処理において、制御部３５は、紙幣処理部１８１については、紙幣一時庫ロック機構８３を駆動して、紙幣一時庫８２の装置本体２１へのロックを解除すると共に、紙幣一時庫８２からの紙幣の取り出しを促す表示を表示部４１に表示させる。これを見て、店舗の担当者が、紙幣一時庫８２を装置本体２１から引き出して、紙幣一時庫８２に一時貯留されていた紙幣を取り出す。その後、紙幣一時庫８２が装置本体２１に押し込まれると、紙幣一時庫ロック機構８３が、紙幣一時庫８２を押し込み状態で装置本体２１にロックする。制御部３５は、紙幣一時庫８２が押し込み状態になったことを紙幣一時庫検知センサ８４の検知結果で確認する。
【０１２０】
また、制御部３５は、硬貨処理部１８２については、硬貨返却箱ロック機構９３を駆動して、硬貨返却箱９２を装置本体２１にロックする。その後、制御部３５は、壁部構成体移動機構２５３で壁部構成体２５２を一時貯留位置から返却位置に移動させると共に、底部構成体移動機構２５５で底部構成体２５４を一時貯留位置から返却位置に移動させて、硬貨一時貯留部２５０を、一時貯留状態から返却状態にする。すると、壁部構成体２５２の下部開口が返却位置において開くことになる。
【０１２１】
この返却状態になると、硬貨一時庫２５６は、一時貯留していた硬貨を、壁部構成体２５２の下部開口の鉛直下方にある押し込み状態の硬貨返却箱９２に放出する。その後、制御部３５は、硬貨返却箱ロック機構９３を駆動して、硬貨返却箱９２の装置本体２１へのロックを解除すると共に、硬貨返却箱９２からの硬貨の取り出しを促す表示を表示部４１に表示させる。これを見て、店舗の担当者が、硬貨返却箱９２を装置本体２１から引き出して硬貨を取り出す。制御部３５は、硬貨返却箱９２が押し込み状態になったことを硬貨返却箱検知センサ９４の検知結果で確認する。
【０１２２】
制御部３５は、紙幣一時庫８２が装置本体２１から引き出された後に装置本体２１に押し込まれたことを紙幣一時庫検知センサ８４が検知し、硬貨返却箱９２が装置本体２１から引き出された後に装置本体２１に押し込まれたことを硬貨返却箱検知センサ９４が検知すると、返却処理を終了する。
【０１２３】
この返却処理を終了するに当たり、制御部３５は、その前段に行われた入金処理において入力された回収担当者のＩＤ番号と、貨幣処理装置１１の識別情報と、入金処理の実行時刻と、紙幣識別部１９２で受け入れ可能と識別された紙幣及び硬貨の金種別の数量と、これらが返却された旨とを関連付けて記憶部３６に記憶する。
【０１２４】
「警備会社の担当者による売上金の回収処理」
警備会社の回収担当者は、表示操作部３１に対し、カードリーダ４３でＩＤ番号を入力し、テンキー４４で暗証番号を入力する。すると、制御部３５は、ＩＤ番号及び暗証番号が適正である場合に、表示部４１に、「回収処理」を含む処理選択画面を表示させる。
【０１２５】
この処理選択画面を表示させた状態で、テンキー４４を介して「回収処理」が選択され、確定及び完了の入力キーである操作キー４６が押圧操作されると、制御部３５は、貨幣金庫扉ロック機構１０２、貨幣金庫部ロック機構１１２を駆動して、これらをロック状態からロック解除状態にする。すると、貨幣金庫扉１０１及び貨幣金庫部１１１の装置本体２１へのロックが解除される。それと共に制御部３５は、表示部４１に回収処理の案内画面を表示させる。
【０１２６】
案内に従って、回収担当者は、貨幣金庫扉１０１を開いて開状態とした後に貨幣金庫部１１１を装置本体２１から引き出して引き出し状態とする。そして、回収担当者は、紙幣金庫１４１をスライド体１２１の紙幣金庫装填スペース１３５から抜き取り、持参した金庫キーを使用して図示略の紙幣金庫扉を開いて紙幣金庫１４１内の紙幣を取り出す。これにより紙幣金庫１４１内の紙幣は空になる。その後、図示略の紙幣金庫扉を閉じて金庫キーでロック状態にする。或いは、回収担当者は、抜き取った紙幣金庫１４１と交換する空の紙幣金庫１４１を準備する。
【０１２７】
また、回収担当者は、硬貨金庫１４２をスライド体１２１の硬貨金庫装填スペース１３６から抜き取り、持参した金庫キーを使用して図示略の硬貨金庫扉を開いて硬貨金庫１４２内の硬貨を取り出す。これにより、硬貨金庫１４２内の硬貨は空になる。その後、図示略の硬貨金庫扉を閉じて金庫キーでロック状態にする。或いは、回収担当者は、抜き取った硬貨金庫１４２と交換する空の硬貨金庫１４２を準備する。
【０１２８】
そして、回収担当者は、空の紙幣金庫１４１をスライド体１２１の紙幣金庫装填スペース１３５に上部開口から装填する。すると、制御部３５は、紙幣金庫１４１が装填状態になったことを紙幣金庫検知センサ１５２の検知結果で確認する。
【０１２９】
また、回収担当者は、空の硬貨金庫１４２をスライド体１２１の硬貨金庫装填スペース１３６に上部開口から装填する。すると、制御部３５は、硬貨金庫１４２が装填状態になったことを硬貨金庫検知センサ１５６の検知結果で確認する。
【０１３０】
加えて、回収担当者は、引き出し状態のスライド体１２１の保管スペース１３１に上部開口を介して持参した釣銭準備金を収納する。釣銭準備金の保管スペース１３１への収納は、スライド体１２１が装置本体２１から引き出された引き出し状態にあれば、何時行っても良い。釣銭準備金は、例えば、棒金と束紙幣とからなる準備金本体と、準備金本体を収容する収容袋或いは金庫等の収容体とで構成されている。
【０１３１】
回収担当者は、空の紙幣金庫１４１を紙幣金庫装填スペース１３５に装填し、空の硬貨金庫１４２を硬貨金庫装填スペース１３６に装填し、釣銭準備金を保管スペース１３１へ収納した後に貨幣金庫部１１１を装置本体２１内に押し込んで押し込み状態とする。すると、貨幣金庫部ロック機構１１２が、押し込み状態になった貨幣金庫部１１１を装置本体２１にロックする。制御部３５は、貨幣金庫部１１１が押し込み状態になったことを、貨幣金庫部検知センサ１１３の検知結果で確認する。
【０１３２】
次に、回収担当者は、貨幣金庫扉１０１を閉状態にする。すると、貨幣金庫扉ロック機構１０２が、貨幣金庫扉１０１を閉状態で装置本体２１にロックする。制御部３５は、貨幣金庫扉１０１が閉状態になったことを貨幣金庫扉検知センサ１０３の検知結果で確認する。
【０１３３】
以上のようにして、警備会社の回収担当者は、貨幣処理装置１１の紙幣金庫１４１内及び硬貨金庫１４２内の売上金を回収する。また、警備会社の回収担当者は、この回収と共に、釣銭準備金を貨幣処理装置１１の保管スペース１３１に収納する。
【０１３４】
制御部３５は、例えば、紙幣金庫１４１が取り外し状態になった後に装填状態になったことを紙幣金庫検知センサ１５２が検知し、硬貨金庫１４２が取り外し状態になった後に装填状態になったことを硬貨金庫検知センサ１５６が検知し、これらの後、貨幣金庫部１１１が押し込み状態になったことを、貨幣金庫部検知センサ１１３が検知し、その後、貨幣金庫扉１０１が閉状態になったことを貨幣金庫扉検知センサ１０３が検知すると、回収処理を終了する。
【０１３５】
制御部３５は、回収処理を終了するに当たって、例えば、この回収処理において、入力された回収担当者のＩＤ番号と、貨幣処理装置１１の識別情報と、貨幣金庫扉ロック機構１０２、貨幣金庫部ロック機構１１２を駆動してロック解除状態にした時刻と、貨幣金庫扉検知センサ１０３が貨幣金庫扉１０１の開状態を検知した時刻と、貨幣金庫部検知センサ１１３が貨幣金庫部１１１の引き出し状態を検知した時刻と、紙幣金庫検知センサ１５２が紙幣金庫装填スペース１３５からの紙幣金庫１４１の取り出しを検知した時刻と、硬貨金庫検知センサ１５６が硬貨金庫装填スペース１３６からの硬貨金庫１４２の取り出しを検知した時刻と、紙幣金庫検知センサ１５２が紙幣金庫装填スペース１３５への紙幣金庫１４１の装填を再び検知した時刻と、硬貨金庫検知センサ１５６が硬貨金庫装填スペース１３６への硬貨金庫１４２の装填を再び検知した時刻と、貨幣金庫部検知センサ１１３が貨幣金庫部１１１の押し込み状態を再び検知した時刻と、貨幣金庫扉検知センサ１０３が貨幣金庫扉１０１の閉状態を再び検知した時刻とを関連付けて、記憶部３６に記憶する。
【０１３６】
また、制御部３５は、回収処理を終了するに当たって、例えば、この回収処理において、入力された回収担当者のＩＤ番号と、貨幣処理装置１１の識別情報と、回収処理の実行時刻と、紙幣金庫１４１及び硬貨金庫１４２から回収した貨幣量の情報とをプリンタ３２で紙面に印字した伝票を作成する。回収担当者は、回収した貨幣を伝票と共に管理センタに持ち帰る。
【０１３７】
「店舗の担当者による釣銭準備金の受渡処理」
店舗の担当者は、表示操作部３１に対し、カードリーダ４３でＩＤ番号を入力し、テンキー４４で暗証番号を入力する。すると、制御部３５は、ＩＤ番号及び暗証番号が適正である場合に、表示部４１に、「受渡処理」を含む処理選択画面を表示させる。
【０１３８】
この処理選択画面を表示させた状態で、テンキー４４を介して「受渡処理」が選択され、確定及び完了の入力キーである操作キー４６が押圧操作されると、制御部３５は、貨幣金庫扉ロック機構１０２及び保管スペース扉ロック機構１４６を駆動して、これらをロック状態からロック解除状態にする。すると、貨幣金庫扉１０１の装置本体２１へのロックが解除され、保管スペース扉１４５のスライド体１２１へのロックが解除される。それと共に制御部３５は、表示部４１に受渡処理の案内画面を表示させる。この受渡処理において、制御部３５は、貨幣金庫部ロック機構１１２を駆動することはなく、よって、貨幣金庫部１１１は引き出しが規制された状態のままとなる。
【０１３９】
案内に従って、店舗の担当者は、貨幣金庫扉１０１を開いて開状態とした後に保管スペース扉１４５を開いて開状態とし、保管スペース１３１から前方の入出口１３２を介して釣銭準備金を取り出すことになる。即ち、店舗の担当者は、装置本体２１から貨幣金庫部１１１を引き出すことなく、貨幣金庫扉１０１及び保管スペース扉１４５を開けて、保管スペース１３１から釣銭準備金を取り出すことになる。
【０１４０】
その後、店舗の担当者は、保管スペース扉１４５を閉状態にする。すると、保管スペース扉ロック機構１４６が、保管スペース扉１４５を開状態でスライド体１２１にロックする。制御部３５は、保管スペース扉１４５が閉状態になったことを保管スペース扉検知センサ１４７の検知結果で確認する。
【０１４１】
次に、店舗の担当者は、貨幣金庫扉１０１を閉状態にする。すると、貨幣金庫扉ロック機構１０２が、貨幣金庫扉１０１を閉状態で装置本体２１にロックする。制御部３５は、貨幣金庫扉１０１が閉状態になったことを貨幣金庫扉検知センサ１０３の検知結果で確認する。
【０１４２】
以上のようにして、店舗の担当者は、貨幣処理装置１１の貨幣金庫部１１１の保管スペース１３１から、警備会社の回収担当者が入れた釣銭準備金を取り出すことになる。
【０１４３】
制御部３５は、保管スペース扉１４５が開かれた後に閉状態になったことを保管スペース扉検知センサ１４７が検知した後、貨幣金庫扉１０１が閉状態になったことを貨幣金庫扉検知センサ１０３が検知すると、受渡処理を終了する。
【０１４４】
制御部３５は、受渡処理の終了に当たり、例えば、この受渡処理において、入力された店舗の担当者のＩＤ番号と、貨幣処理装置１１の識別情報と、貨幣金庫扉ロック機構１０２及び保管スペース扉ロック機構１４６を駆動してロック解除状態にした時刻と、貨幣金庫扉検知センサ１０３が貨幣金庫扉１０１の開状態を検知した時刻と、保管スペース扉検知センサ１４７が保管スペース扉１４５の開状態を検知した時刻と、保管スペース扉検知センサ１４７が保管スペース扉１４５の閉状態を再び検知した時刻と、貨幣金庫扉検知センサ１０３が貨幣金庫扉１０１の閉状態を再び検知した時刻とを関連付けて、記憶部３６に記憶する。
【０１４５】
以上に述べた貨幣処理装置１１によれば、紙幣を収納する紙幣金庫１４１及び硬貨を収納する硬貨金庫１４２とは別に、釣銭準備金を保管可能な保管スペース１３１が設けられている。よって、釣銭準備金の受け渡し時に、紙幣金庫１４１及び硬貨金庫１４２とは別に設けられた保管スペース１３１に釣銭準備金を保管することができる。よって、警備会社の担当者が貨幣処理装置１１から売上金を回収する際に、保管スペース１３１に警備会社が予め用意した釣銭準備金を入れておくことができ、店舗側の人間が立ち会わずに、警備会社から店舗に釣銭準備金を受け渡すことができる。
【０１４６】
また、釣銭準備金の受け渡し時に、紙幣金庫１４１及び硬貨金庫１４２とは別に設けられた保管スペース１３１に釣銭準備金を保管することができるため、釣銭準備金の受け渡し後、釣銭準備金を紙幣金庫１４１或いは硬貨金庫１４２から取り出す必要がなく、即座に紙幣金庫１４１及び硬貨金庫１４２が使用可能な状態となり、即座に貨幣処理装置１１による貨幣処理が可能となる。従って、釣銭準備金の受け渡しが可能であり、釣銭準備金の受け渡し後、即座に貨幣処理が可能となる。即ち、特許文献１の売上金入金機では釣銭準備金を貨幣金庫から取り出さないと売上金入金機を使用できないが、貨幣処理装置１１では、釣銭準備金を保管スペース１３１に保管することができるため、釣銭準備金が貨幣処理装置１１内に残っている状態でも貨幣処理装置１１を使用して入金処理を行うことができる。
【０１４７】
また、紙幣金庫１４１と硬貨金庫１４２とが左右方向の位置を重ね合わせて前後方向に並べられており、これら紙幣金庫１４１及び硬貨金庫１４２に対し、前後方向の位置を重ね合わせ、左右方向に並べられて保管スペース１３１が設けられているため、紙幣金庫１４１及び硬貨金庫１４２とは別に保管スペース１３１を設けても特に左右方向の大型化を抑制することができる。言い換えれば、紙幣金庫１４１と硬貨金庫１４２とが前後方向に並べられて貨幣処理装置１１の左右方向一側（具体的には左側）に配置され、前後方向に並べられたこれら紙幣金庫１４１及び硬貨金庫１４２の左右方向他側（具体的には右側）に保管スペース１３１が設けられているため、紙幣金庫１４１及び硬貨金庫１４２とは別に保管スペース１３１を設けても特に左右方向の大型化を抑制することができる。
【０１４８】
また、紙幣ホッパ７１にセットされた紙幣を識別し識別結果に基づいて振り分ける紙幣処理部１８１及び硬貨ホッパ６１にセットされた硬貨を識別し識別結果に基づいて振り分ける硬貨処理部１８２の下側に、紙幣処理部１８１及び硬貨処理部１８２と前後方向及び左右方向の両方向の位置を重ね合わせて、紙幣金庫１４１、硬貨金庫１４２及び保管スペース１３１が設けられているため、貨幣処理装置１１の特に左右方向の大型化を一層抑制することができる。言い換えれば、紙幣金庫１４１、硬貨金庫１４２及び保管スペース１３１は、紙幣処理部１８１及び硬貨処理部１８２の下方に、紙幣処理部１８１及び硬貨処理部１８２と平面視でオーバーラップするように配置されているため、保管スペース１３１を設けつつも、貨幣処理装置１１の特に左右方向の大型化を一層抑制することができる。即ち、単純に、保管スペースを貨幣処理装置の横に設けるものよりも、貨幣処理装置１１の左右方向を小型化することができる。
【０１４９】
また、紙幣処理部１８１の下側に、これと前後方向及び左右方向の両方向の位置を重ね合わせて紙幣金庫１４１を設け、硬貨処理部１８２の下側に、これと前後方向及び左右方向の両方向の位置を重ね合わせて保管スペース１３１を設けると共に、硬貨処理部１８２の硬貨一時貯留部２５０を前後方向に移動させることにより、紙幣金庫１４１と左右方向の位置を重ね合わせて前後方向に並べられた硬貨金庫１４２に硬貨一時貯留部２５０の硬貨を収納する。従って、紙幣処理部１８１、硬貨処理部１８２、紙幣金庫１４１、硬貨金庫１４２及び保管スペース１３１をより効率的に配置することができる。
【０１５０】
また、保管スペース１３１の上側に、これと前後方向及び左右方向の両方向の位置を重ね合わせて硬貨返却箱９２を設けると共に、硬貨一時貯留部２５０が、前後方向に移動して硬貨を硬貨返却箱９２と硬貨金庫１４２とに振り分ける。従って、紙幣処理部１８１、硬貨処理部１８２、紙幣金庫１４１、硬貨返却箱９２、硬貨金庫１４２及び保管スペース１３１をより効率的に配置することができる。
【０１５１】
また、保管スペース１３１と紙幣金庫１４１と硬貨金庫１４２とを含む貨幣金庫部１１１が一体に装置本体２１から引き出し可能とされており、貨幣金庫部１１１は、これを装置本体２１から引き出さずに保管スペース１３１を開閉する保管スペース扉１４５を有する。このため、貨幣金庫部１１１を引き出すことで、紙幣金庫１４１及び硬貨金庫１４２からの貨幣の回収と、保管スペース１３１への釣銭準備金の収納とを容易に行うことができる。また、保管スペース１３１に保管されている釣銭準備金を保管スペース１３１から取り出す際には、貨幣金庫部１１１を引き出さずに保管スペース扉１４５を開いて取り出すことができる。即ち、特許文献１の売上金入金機では、装置から金庫トレーを引き出し、引き出された金庫トレーから貨幣金庫を取り出し、取り出された貨幣金庫から釣銭準備金を取り出すことで、装置から釣銭準備金を取り出すことになるが、貨幣処理装置１１では、保管スペース１３１の前面に保管スペース扉１４５が設けられているため、貨幣金庫扉１０１及び保管スペース扉１４５を開けることで、装置本体２１から貨幣金庫部１１１を引き出すことなく、貨幣処理装置１１から釣銭準備金を取り出すことができる。
【０１５２】
また、貨幣金庫部１１１において、紙幣金庫装填スペース１３５及び硬貨金庫装填スペース１３６と、保管スペース１３１とが仕切られて別スペースとなっており、保管スペース１３１を開閉する保管スペース扉１４５が設けられているため、店舗の担当者が保管スペース１３１から釣銭準備金を取り出す際に紙幣金庫１４１及び硬貨金庫１４２を見たり触れたりすることを防止することができる。よって、防犯性に優れている。
【０１５３】
以上の第１実施形態を以下の変形例１〜変形例９のように変更することができる。
【０１５４】
（変形例１）
上記実施形態のように紙幣金庫１４１及び硬貨金庫１４２が貨幣処理装置１１内の左側に設けられ、保管スペース１３１が貨幣処理装置１１内の右側に設けられると共に、紙幣処理部１８１が貨幣処理装置１１内の左側に設けられ、硬貨処理部１８２が貨幣処理装置１１内の右側に設けられることに限定されるものではなく、紙幣金庫１４１及び硬貨金庫１４２が貨幣処理装置１１内の右側に設けられ、保管スペース１３１が貨幣処理装置１１内の左側に設けられると共に、紙幣処理部１８１が貨幣処理装置１１内の右側に設けられ、硬貨処理部１８２が貨幣処理装置１１内の左側に設けられるようにしても良い。
【０１５５】
（変形例２）
貨幣金庫扉１０１を設けずに、図１０に示すように、保管スペース扉１４５を有する貨幣金庫部１１１の前面を貨幣処理装置１１の前面とするようにしても良い。即ち、装置本体２１の主前面２８と貨幣金庫部１１１の前面２７１とで貨幣処理装置１１の前面を構成する。これにより、保管スペース扉１４５が常に貨幣処理装置１１の外部に露出することになるため、店舗の担当者による保管スペース１３１からの釣銭準備金の取り出し作業が一層容易となる。即ち、貨幣金庫扉１０１を開閉する作業をなくすことができる。
【０１５６】
（変形例３）
制御部３５は、所定時間経過しても、紙幣一時庫８２や硬貨返却箱９２や貨幣金庫部１１１が引き出し状態になった後に押し込み状態にならなければ、押し込み状態にすることを促すメッセージを表示部４１に表示させるようにしても良い。また、制御部３５は、所定時間経過しても、紙幣金庫１４１や硬貨金庫１４２が取り外し状態になった後に装填状態にならなければ、装填状態にすることを促すメッセージを表示部４１に表示させるようにしても良い。更に、制御部３５は、所定時間経過しても、貨幣金庫扉１０１や保管スペース扉１４５が開かれた後に閉状態にならなければ、閉状態にすることを促す表示を表示部４１に表示させるようにしても良い。更に、上記メッセージをスピーカーから出力させるようにしても良い。更に、警告音をスピーカーから出力させるようにしても良い。
【０１５７】
（変形例４）
貨幣収納スペース１３７と保管スペース１３１とを貨幣金庫部１１１に一体に設けることに限定されるものではなく、別々に設けるようにしても良い。例えば、貨幣収納スペース１３７を有する第１の貨幣金庫部と、保管スペース１３１を有する第２の貨幣金庫部とを備えるようにしても良い。この際、それぞれ別々に装置本体２１から引き出し可能に設けても良く、第１の貨幣金庫部のみ装置本体２１から引き出し可能に設け、第２の貨幣金庫部を装置本体２１に固定して引き出し不可に設けるようにしても良い。
【０１５８】
なお、第２の貨幣金庫部を装置本体２１に対し引き出し可能に設けた際には、店舗の担当者は、第２の貨幣金庫部を引き出して釣銭準備金を取り出すようにしても良い。その場合、保管スペース扉１４５は必ずしも必要なくなる。また、第２の貨幣金庫部を引き出し不可に設けた際には、保管スペース扉１４５は必要で、警備会社は保管スペース扉１４５を開閉して釣銭準備金を保管スペース１３１に収納することになる。
【０１５９】
更に、変形例４において、変形例２のように、貨幣金庫扉１０１を設けずに、第１の貨幣金庫部の前面と、保管スペース扉１４５を有する第２の貨幣金庫部の前面とを貨幣処理装置１１の前面とするようにしても良い。
【０１６０】
（変形例５）
保管スペース１３１は、上方が開口していることに限定されるものではなく、上方を閉塞する天井部を有するようにし、保管スペース扉１４５を開閉して釣銭準備金を保管スペース１３１に収納するようにしても良い。
【０１６１】
（変形例６）
上記実施形態のように、保管スペース１３１が、紙幣金庫１４１及び硬貨金庫１４２の両方に前後方向の位置を重ね合わせることに限定されるものではなく、紙幣金庫１４１及び硬貨金庫１４２の少なくとも何れか一方に前後方向の位置を重ね合わせていれば良い。例えば、上記実施形態のように、紙幣金庫１４１が貨幣処理装置１１内の前部に設けられる場合、保管スペース１３１を、硬貨金庫１４２よりも前側において、紙幣金庫１４１と前後方向の位置を重ね合わせるようにしても良い。
【０１６２】
（変形例７）
保管スペース１３１は、釣銭準備金を保管することに限定されるものではなく、印鑑、通帳、有価証券、書類等の重要物を保管するようにしても良い。
【０１６３】
（変形例８）
硬貨一時貯留部２５０は、一時貯留している硬貨を左右方向に移動して硬貨返却箱９２と硬貨金庫１４２との振り分けるようにしても良い。また、この際、硬貨一時貯留部２５０の硬貨一時庫２５６の移動経路の一部と、紙幣処理部１８１の中間搬送部２０２とが前後方向及び左右方向の両方向にオーバーラップするようにする。具体的には、硬貨金庫１４２へ硬貨を収納する収納状態にあるときに、硬貨一時庫２５６がスペースＳに配置され、中間搬送部２０２と前後方向及び左右方向の両方向にオーバーラップするようにする。これにより、硬貨一時庫２５６が左右方向に移動するようにしても、貨幣処理装置１１の大型化を抑制することができる。言い換えれば、貨幣処理装置１１を小型化することができる。
【０１６４】
（変形例９）
貨幣処理装置１１は、入金専用機に限定されるものではなく、紙幣金庫１４１及び硬貨金庫１４２とは別に、紙幣を収納する紙幣収納部及び硬貨を収納する硬貨収納部を更に備え、入金処理に加え、これらの収納部に収納している貨幣を出金処理可能な入出金機であっても良い。
【符号の説明】
【０１６５】
１１…貨幣処理装置、２１…装置本体、６１…硬貨ホッパ（硬貨セット部）、７１…紙幣ホッパ（紙幣セット部）、７２…紙幣リジェクトポケット（紙幣リジェクト部）、８２…紙幣一時庫（紙幣一時貯留部）、９２…硬貨返却箱（硬貨返却部）、１１１…貨幣金庫部、１３１…保管スペース、１４１…紙幣金庫、１４２…硬貨金庫、１４５…保管スペース扉（開閉扉）、１８１…紙幣処理部、１８２…硬貨処理部、１９２…紙幣識別部、１９３…紙幣振分部、２０２…中間搬送部（振分前紙幣搬送部）、２３２…硬貨識別部、２５０…硬貨一時貯留部
【図１】
2020067915.tif 000003
【図２】
2020067915.tif 000004
【図３】
2020067915.tif 000005
【図４】
2020067915.tif 000006
【図５】
2020067915.tif 000007
【図６】
2020067915.tif 000008
【図７】
2020067915.tif 000009
【図８】
2020067915.tif 000010
【図９】
2020067915.tif 000011
【図１０】
2020067915.tif 000012